(57)【要約】【課題】  切り欠き部で他の部品を傷付けず、ターミナルの強度が確保され、安全な構造の電子部品のはんだ付け構造を提供すること。【解決手段】  バスバー５は、内側に孔部７を有し、孔部７の位置でインシュレータ６にモールド成形されたバスバー５を、はんだ付け部８にて、基板４のスルーホール４ａにはんだ９ではんだ付けされるはんだ付け構造とした。【選択図】  図２
2013171725.tif 000002
【特許請求の範囲】
【請求項１】
一端が電気回路を構成する回路部品に電気的に接続され、他端が基板とはんだ付けが成されるターミナルと、
前記ターミナルの一部に設けられ、周囲との電気的絶縁を図るインシュレータとを備え、
前記ターミナルは、延在方向の途中にはんだ付けする際の熱の伝導を抑制する孔部を有し、
前記孔部の位置が前記インシュレータによりモールドされている電子部品のはんだ付け構造。
【請求項２】
前記孔部は、多角形状または円形状または楕円形状である請求項１に記載の電子部品のはんだ付け構造。
【発明の詳細な説明】
【技術分野】
【０００１】
本発明は、基板に対して電子部品や電気部品等と接続されるターミナルが基板に形成される取付孔（スルーホール）に挿入され、挿入部にはんだ付けが成される電子部品のはんだ付け構造に関するものである。
【背景技術】
【０００２】
従来、電子部品のはんだ付け構造は、一端が電気回路を構成する電子部品または電気部品と電気的に接続され、他端が基板のスルーホールに対してはんだ付けが成されるターミナルを備え、ターミナルを基板のスルーホールに挿入し、ターミナルの基板への挿入部をはんだ付けを行う場合、はんだからターミナルを介して電気回路へ熱が伝達されるが、その熱の伝導を抑制するため、ターミナルの延在方向に対して直交するターミナルの幅方向の両端に切り欠き部が設けられる構造が、例えば、特許文献１等で知られている。
【０００３】
例えば、図４は特許文献１に示されるような従来のターミナル５ｂと基板４とのはんだ付け構造を示す。図４では、電気回路とターミナル５ｂとを絶縁するインシュレータ６とはんだ付け部８ｂとの間のターミナル５ｂの延在方向（図４に示す左右方向（基板４の板厚方向））に対して直交するターミナル５ｂの幅方向（図４に示す上下方向（基板４の延在方向））の両端に内側に凹んだ切り欠き部７ｂが設けられる構成となっている。
【先行技術文献】
【特許文献】
【０００４】
【特許文献１】特開２０００−２００６２９号公報
【発明の概要】
【発明が解決しようとする課題】
【０００５】
しかしながら、特許文献１に示される電子部品のはんだ付け構造では、ターミナルの切り欠き部がターミナルの延在方向に対して直交するターミナルの幅方向の両端に設けられることで、ターミナルを電子部品等が組み付けられる基板に組付ける時には、ターミナルの幅方向の両端に形成された切り欠き部のエッジにより他の部品（例えば、ターミナルの基板への挿入部の近傍に配設される回路部品、例えば、コンデンサ、トランジスタ、抵抗、コイル等の電子部品）を傷付ける虞があり、はんだ付け時に人がターミナルを取り扱う場合にも何らかの安全対策が必要となる。
【０００６】
従来の構成では、切り欠き部によってターミナルの幅方向の長さが切り欠き部の形成で狭くなり、ターミナルの絶縁を図るインシュレータから外部に露出した状態となるため、ターミナルの強度が従来よりも低下してしまうものとなってしまう。
【０００７】
そこで、本発明は上記問題点に鑑みて成されたものであり、切り欠き部で周囲の部品を傷付けることなく、はんだ付け後もターミナルの強度が従来よりも確保され、安全な構造の電子部品のはんだ付け構造とすることである。
【課題を解決するための手段】
【０００８】
本発明の課題解決手段は、一端が電気回路を構成する回路部品に電気的に接続され、他端が基板とはんだ付けが成されるターミナルと、前記ターミナルの一部に設けられ、周囲との電気的絶縁を図るインシュレータとを備え、前記ターミナルは、延在方向の途中にはんだ付けする際の熱の伝導を抑制する孔部を有し、前記孔部の位置が前記インシュレータによりモールドされている構成とした。
【０００９】
この場合、前記孔部は多角形状または円形状または楕円形状であることが好ましい。
【発明の効果】
【００１０】
本発明によれば、ターミナルの延在方向に対して直交するターミナルの幅方向の両端ではなく内側に孔部を設け、孔部が設けられる位置をインシュレータによりモールドしたことにより、切り欠き部のエッジで周囲部品等を傷付けることを抑制することができ、ターミナルのプレスでの打ち抜きと同時に孔部を形成し、その位置を樹脂等によりモールドすればよいので、コストアップすることなく安全対策を施すことができる。
【００１１】
この場合、孔部がインシュレータ内にモールド成形されるため、従来のように切り欠き部により両側面の幅が狭くならず、ターミナルの強度を確保することができる。
【図面の簡単な説明】
【００１２】
【図１】本発明の実施形態に係る電気部品のはんだ付け構造を電動ポンプに適用した場合の発明要所の部分拡大図である。
【図２】図１に示す電動ポンプに用いられるターミナルと基板とのはんだ付け構造の説明図である。
【図３】図２の変形例に係る電動ポンプのターミナルと基板とのはんだ付け構造の説明図である。
【図４】従来におけるターミナルと基板とのはんだ付け構造の説明図である。
【発明を実施するための形態】
【００１３】
以下、本発明の実施形態について、図面を参照して詳細に説明する。
【００１４】
図１は、本発明の実施形態に係る構造を電動ポンプ１に適用した場合の発明要所の部分拡大図である。電動ポンプ１は、流体（水、油等）を図示しない吸入口より吸い込み、モーター３を回転させることによりインペラあるいはロータを回転させ、図示しない吐出口より吐出させるものである。
【００１５】
電動ポンプ１は、主として回路部品の一つであるコイル２を積層されたコアに巻回したロータをハウジング内に内包するモーター３と、モーター３を制御する基板４と、コイル２と基板４とを電気的に接続する略Ｌ字状のバスバー５（ターミナル）と、バスバー５を電動ポンプ１内の所定位置に固定し、モーター３のハウジング等の周辺に位置する金属部材と電気的絶縁を図るインシュレータ６を備えている。コイル２は、積層コアからなるステータコア２ａに巻回され、コイル２の一端がバスバー５方向に延出し、バスバー５の一端に電気的に接続される構成となっている。
【００１６】
図２は、図１に示すバスバー５の基板４へのはんだ付け構造を示す。バスバー５は、直線状に延在した導電部材から成り、その延在方向（図２に示す左右方向（基板４の板厚方向））の内側に四角形状（多角形状であれば良い）の孔部７をプレス加工により有している。孔部７は、バスバー５における、電気部品であるコイル２側からはんだ付け部８側に延在する途中に設けられている。バスバー５は、孔部７の位置で樹脂等のインシュレータ６によりモールド成形され、バスバー５の先端のはんだ付け部８を、基板４に形成されたスルーホール４ａ中に挿入し、はんだ付け部８をはんだ９により電気的に接続および固定する構造を取っている。
【００１７】
この場合、インシュレータ６を形成する樹脂により孔部７の周囲を内包するようバスバー５に対してモールド成形を行い、その後、バスバー５をインシュレータ６を介してモーター３のハウジング内部の所定位置に位置決めしてネジ等の締結部材により固定する構造を取っている。
【００１８】
次に、本発明の効果について説明する。
【００１９】
本発明の実施形態は、図４における従来のようにバスバー５ｂの延在方向（図４に示す左右方向（基板４の板厚方向））に対して直交するバスバー５ｂの幅方向（図４に示す上下方向（基板４の延在方向））の両端に切り欠き部７ｂを設けることなく、バスバー５の延在方向の途中の内側に孔部７を設ける構成としたため、切り欠き部７ｂのエッジで周囲の部品を傷付けることを抑制することができる。
【００２０】
また、孔部７がインシュレータ６内にモールド成形されるため、モールド成形後のバスバー５の強度が確保できる。なお、図４においては、参考のため本発明の実施の形態に対応する部位に同様の符号を付した。
【００２１】
本実施形態ではバスバー５の一端にコイル２が電気的に接続されるようにしたが、孔部７をインシュレータの中に設けることにより、バスバー５を基板４に対してはんだを溶融させてはんだ付けを行う場合に、はんだ付け部よりはんだ付けに伴う熱が孔部７によってコイル側に逃げにくくなるので、特に大型モータのコイルの一端に接続されるターミナルを基板に対してはんだ付けをする場合には、はんだ付け温度を必要以上に上げなくても熱量を確保して、はんだ付けを行うことが可能である。
【００２２】
孔部７は、ターミナルを形成する際にプレス加工により一緒に形成することができ、ターミナルの外形寸法を変えることなく熱をコイル側に伝えなくする構成とすることができる。
【００２３】
なお、本発明は、上記実施形態に限定されるものではなく、以下に示す態様に変更しても良い。
【００２４】
図３は、本発明の変形例に係る電動ポンプのバスバー５ａのはんだ付け構造の説明図である。バスバー５ａは、バスバー５ａの延在方向（図３に示す左右方向（基板４の板厚方向））の途中の内側に楕円形状（円形状でも良い）の孔部７ａを有し、孔部７ａの位置でインシュレータ６にモールド成形されたバスバー５ａを、はんだ付け部８ａにて、基板４のスルーホール４ａにはんだ９ではんだ付けを行い電気的に接続される構成としても良い。
【００２５】
また、実施形態・変形例では電動ポンプの電子部品のはんだ付け構造について説明したが、電動ポンプ以外の電子部品のはんだ付け構造にも本発明は適用することができる。
【符号の説明】
【００２６】
１    電動ポンプ
２    コイル（電気回路）
３    モーター
４    基板
５    バスバー（ターミナル）
６    インシュレータ
７    孔部
８    はんだ付け部
９    はんだ
【図１】
2013171725.tif 000003
【図２】
2013171725.tif 000004
【図３】
2013171725.tif 000005
【図４】
2013171725.tif 000006